(57)【要約】【課題】２枚の原反フィルムを用いて底部両側の隅角部にアールが形成された合成樹脂製の三方シールタイプの袋体を効率良く製造できる製造方法と、その袋体を提供する。【解決手段】２枚の熱可塑性合成樹脂よりなる原反フィルムを上下に重ねて連続的に送りながら、その一側端を溶着する原反フィルム溶着工程と、原反フィルムを間欠的に送りながら、その溶着された方の側端部を、所定のピッチで、両側斜辺が四半円弧状に凹曲する山形に溶断する第一の溶断工程と、原反フィルムを間欠的に送りながら、その山形の溶断部分９の頂部から横断方向に原反フィルムを溶断する第二の溶断工程とを備えた製造方法とする。この製造方法で得られる袋体１１は、両側部と底部が溶断によりシールされ、底部両側の隅角部にアールが形成された体裁の良い三方シールタイプの袋体となる。【選択図】図５
2007283686.tif 000002
【特許請求の範囲】
【請求項１】
２枚の熱可塑性合成樹脂よりなる原反フィルムを上下に重ねて連続的に送りながら、その一側端を溶着する原反フィルム溶着工程と、
原反フィルムを間欠的に送りながら、その溶着された方の側端部を、所定のピッチで、両側斜辺が四半円弧状に凹曲する山形に溶断する第一の溶断工程と、
原反フィルムを間欠的に送りながら、その山形の溶断部分の頂部から横断方向に原反フィルムを溶断する第二の溶断工程と、
を備えたことを特徴とする袋体の製造方法。
【請求項２】
原反フィルム溶着工程の前に、２枚の原反フィルムを連続的に送りながら、その溶着されない方の側端に沿って、いずれか一方の原反フィルムの対向面に凸条を具備した雄型チャックテープを溶着すると共に、他方の原反フィルムの対向面に凹溝を具備した雌型チャックテープを溶着するチャックテープ溶着工程を設けたことを特徴とする、請求項１に記載の袋体の製造方法。
【請求項３】
チャックテープ溶着工程と原反フィルム溶着工程の間に、雄型チャックテープの凸条を雌型チャックテープの凹溝に嵌合して２枚の原反フィルムを上下に重ねて連続的に送りながら、その溶着される方の側端を切断して揃えるトリム工程を設けたことを特徴とする、請求項２に記載の袋体の製造方法。
【請求項４】
２枚の熱可塑性合成樹脂よりなる原反フィルムを上下に重ねて連続的に送りながらその一側端を溶着し、該原反フィルムを間欠的に送りながらその溶着された方の側端部を所定のピッチで、両側斜辺が四半円弧状に凹曲する山形に溶断し、更に山形の溶断部分の頂部から横断方向に該原反フィルム溶断して成ることを特徴とする袋体。
【請求項５】
２枚の原反フィルムの溶着されない方の側端に沿って、いずれか一方の原反フィルムの対向面に凸条を具備した雄型チャックテープを溶着すると共に、他方の原反フィルムの対向面に凹溝を具備した雌型チャックテープを溶着したことを特徴とする請求項４に記載の袋体。
【発明の詳細な説明】
【技術分野】
【０００１】
本発明は、合成樹脂製の袋体の製造方法と、その製造方法で得られる袋体に関する。
【背景技術】
【０００２】
従来より、文具、小間物、その他の商品を入れる袋体は、透明な熱可塑性合成樹脂よりなる１枚の原反フィルムを二つ折りにし、この原反フィルムを所定のピッチで横断方向に溶断する方法（所謂、サイドシール法）によって製造されている。
【０００３】
しかしながら、従来の製造方法では、前面と後面で色や材質等が異なる袋体を得ることは不可能であり、また、底部両側の隅角部にアールを有する袋体を得ることも困難である。
【０００４】
そこで、本出願人は、２枚の原反フィルムを用いて底部両側の隅角部にアールが形成された袋体を効率良く製造する先行技術や市販品の有無について調べてみたが、調べた範囲内では、そのような先行技術や市販品を見つけることができなかった。
【発明の開示】
【発明が解決しようとする課題】
【０００５】
本発明は、上記の事情の下になされたもので、２枚の原反フィルムを用いて底部両側の隅角部にアールが形成された三方シールタイプの合成樹脂製の袋体を効率良く製造できる製造方法と、この製造方法によって得られる合成樹脂製の袋体を提供することを目的としている。
【課題を解決するための手段】
【０００６】
上記の目的を達成するため、本発明に係る袋体の製造方法は、２枚の熱可塑性合成樹脂よりなる原反フィルムを上下に重ねて連続的に送りながら、その一側端を溶着する原反フィルム溶着工程と、原反フィルムを間欠的に送りながら、その溶着された方の側端部を、所定のピッチで、両側斜辺が四半円弧状に凹曲する山形に溶断する第一の溶断工程と、原反フィルムを間欠的に送りながら、その山形の溶断部分の頂部から横断方向に原反フィルムを溶断する第二の溶断工程と、を備えたことを特徴とするものである。
【０００７】
本発明の製造方法に於ては、原反フィルム溶着工程の前に、２枚の原反フィルムを連続的に送りながら、その溶着されない方の側端に沿って、いずれか一方の原反フィルムの対向面に凸条を具備した雄型チャックテープを溶着すると共に、他方の原反フィルムの対向面に凹溝を具備した雌型チャックテープを溶着するチャックテープ溶着工程を設けることが好ましい。そして、チャックテープ溶着工程と原反フィルム溶着工程の間に、雄型チャックテープの凸条を雌型チャックテープの凹溝に嵌合して２枚の原反フィルムを上下に重ねて連続的に送りながら、その溶着される方の側端を切断して揃えるトリム工程を設けることも好ましい。  
【０００８】
また、本発明に係る袋体は、２枚の熱可塑性合成樹脂よりなる原反フィルムを上下に重ねて連続的に送りながらその一側端を溶着し、該原反フィルムを間欠的に送りながらその溶着された方の側端部を所定のピッチで、両側斜辺が四半円弧状に凹曲する山形に溶断し、更に山形の溶断部分の頂部から横断方向に該原反フィルムを溶断して成ることを特徴とするものである。
【０００９】
本発明の袋体では、２枚の原反フィルムの溶着されない方の側端に沿って、いずれか一方の原反フィルムの対向面に凸条を具備した雄型チャックテープを溶着すると共に、他方の原反フィルムの対向面に凹溝を具備した雌型チャックテープを溶着することが好ましい。
【発明の効果】
【００１０】
本発明の製造方法によれば、原反フィルム溶着工程において上下に重ねられた２枚の原反フィルムの一側端が溶着され、第一の溶断工程において原反フィルムの溶着された方の側端部が所定のピッチで山形（両側斜辺が四半円弧状に凹曲する山形）に溶断され、第二の溶断工程において原反フィルムがその山形の溶断部分の頂部から横断方向に溶断されるので、袋体の底部両側の隅角部にアールが形成された２枚の原反フィルムからなる合成樹脂製の袋体を効率良く製造することができる。そして、色や材質（樹脂の種類）等が異なる２枚の原反フィルムを使用すると、前面と後面とで色や材質等が異なる合成樹脂製の袋体を得ることができる。
【００１１】
特に、原反フィルム溶着工程の前に前記のチャックテープ溶着工程を設けた製造方法では、上端開口部の内面に雄型チャックテープと雌型チャックテープからなる簡易チャック手段を備えた袋体を製造することができる。そして、チャックテープ溶着工程と原反フィルム溶着工程の間に前記のトリム工程を設けた製造方法では、上下２枚の原反フィルムの溶着される方の端部が切断されてきれいに揃えられるめ、次の原反フィルム溶着工程において原反フィルム側端の溶着が容易になり、溶着不良等を生じる心配がなくなる。
【００１２】
また、上記の製造方法によって製造される本発明の袋体は、その底部両側の隅角部にアールが形成されているので、体裁が良好であり、隅角部が引掛かることもない。そして、２枚の原反フィルムの色や材質を変えるだけで、前面と後面とで色や材質が異なる合成樹脂製の袋体となり、更に、２枚の原反フィルムの対向面に雄型と雌型のチャックテープを溶着した袋体は、雄型チャックテープの凸条を雌型チャックテープの凹溝に嵌合させるだけで、極く簡単に袋体の開口部を閉塞することができる。
【発明を実施するための最良の形態】
【００１３】
以下、図面を参照して本発明の具体的な実施形態を詳述する。
【００１４】
図１はチャック溶着工程で雄型及び雌型のチャックテープが溶着された上下２枚の原反フィルムを示す斜視図、図２の（ａ）は図１のＡ−Ａ線拡大部分断面図、図２の（ｂ）は図１のＢ−Ｂ線拡大部分断面図、図３はトリム工程と原反フィルム溶着工程を説明する斜視図、図４は第一の溶断工程と第二の溶断工程を説明する斜視図、図５は本発明の製造方法で得られる袋体の斜視図、図６は図５のＣ−Ｃ線断面図である。
【００１５】
本発明に係る製造方法の好ましい実施形態によれば、先ず、チャックテープ溶着工程において、図１に示すように、上下２枚の原反フィルム１，２の溶着されない方の側端に沿って、上下いずれか一方の原反フィルム（図１では上側の原反フィルム１）の対向面（下面）に雄型チャックテープ３が溶着されると共に、いずれか他方の原反フィルム（図１では下側の原反フィルム２）の対向面（上面）に雌型チャックテープ４が溶着される。
【００１６】
上記の原反フィルム１，２は、熱溶着の可能な熱可塑性合成樹脂からなるフィルムであれば、無色透明フィルムでも、着色透明フィルムでも、着色不透明フィルムでも、印刷を施したフィルムでも全て使用可能であり、熱可塑性合成樹脂繊維からなる不織布も使用可能である。上下２枚の原反フィルム１，２は同一のフィルムを使用してもよいが、製造する袋体の用途等を考慮して、色や材質（樹脂の種類、印刷の有無、透明性の有無、フィルム又は不織布）が異なる原反フィルムを適宜組合わせて使用することが望ましい。
【００１７】
図２に示すように、雄型チャックテープ３は、凸条３ａをテープ全長に亘って形成した熱可塑性樹脂製のテープであり、雌型チャックテープ４は、該凸条３ａが嵌合される凹溝４ａをテープ全長に亘って形成した熱可塑製樹脂製のテープである。これらのチャックテープ３，４は、チャックテープ溶着装置（不図示）を用いて、原反フィルム１，２を連続的に送りながら、その対向面に自動的に熱溶着される。
【００１８】
チャックテープ溶着工程が終わると、図３に示すように、雄型チャックテープの凸条を雌型チャックテープの凹溝に嵌合させることにより、上下の原反フィルム１，２が互いに位置ズレを生じないように重ねられて、次のトリム工程へ連続的に送られ、原反フィルム１，２の溶着される方の側端がカッター５で切断されてきれいに揃えられる。そして、次の原反フィルム溶着工程へ連続的に送られ、図３に示すように、上下の原反フィルム１，２の切断された側端が溶着装置６によって熱溶着される。
【００１９】
上記ように側端が熱溶着された上下の原反フィルム１，２は、図４に示すように、調整弛緩領域７を経て間欠的に第一の溶断工程に送られ、その熱溶着された方の側端部が、上下動する第一の溶断装置８によって、所定のピッチで山形に溶断される。この山形の溶断部分９は、製造される袋体の底部両側にアールを付けるために形成されるものであるから、図４に示すように、両側斜辺が四半円弧状に凹曲した山形に形成される。
【００２０】
山形の溶断部９が形成された上下の原反フィルム１，２は、図４に示すように、第二の溶断工程に間欠的に送られ、上下動する第二の溶断装置１０によって、山形の溶断部分９の頂部から原反フィルムの横断方向に溶断され、この第二の溶断で目的の袋体１１が得られる。その場合、第二の溶断装置１０の手前において上下動するチャックテープ圧着装置１２により、雄型と雌型のチャックテープを間欠的に圧着し、得られる袋体１１の雄型と雌型のチャックテープの両端部が溶着不良とならないようにすることが望ましい。
【００２１】
上記の製造方法によって得られる本発明の袋体１１は、雄型と雌型のチャックテープ３，４を対向面に熱融着した上下２枚の原反フィルム１，２を上下に重ねて連続的に送りながらその一側端をトリムして溶着し、該原反フィルム１，２を間欠的に送りながらその溶着された方の側端部を所定のピッチで、両側斜辺が四半円弧状に凹曲する山形に溶断し、更に山形の溶断部分９の頂部から横断方向に該原反フィルム１，２を溶断して成るものであるから、図５，図６に示すように、本発明の袋体１１はその両側部と底部が溶断によりシールされた三方シールタイプの袋体であって、底部両側の隅角部１１ａ，１１ａにアールが形成された体裁の良好なものである。そして、上下の原反フィルム１，２の色や材質を変えるだけで、前面と後面とで色や材質の異なる袋体１１とすることができるものであるから、その用途や、内部に収容する商品の種類等を考慮して、最適の袋体とすることが可能である。また、この袋体１１のように、開口部の内面に雄型と雌型のチャックテープ３，４からなる簡易チャック手段が形成されていると、雄型チャックテープ３の凸条３ａを雌型チャックテープ４の凹溝４ａに嵌合させるだけで、極く簡単に袋体１１の開口部を閉塞することもできる。
【００２２】
以上のように、本発明の製造方法は、チャックテープ溶着工程、トリム工程、原反フィルム溶着工程、第一の溶断工程、第二の溶断工程を一つのラインに組み込むことによって、底部両側の隅角部にアールが形成された２枚の原反フィルムからなる三方シールタイプの袋体（開口部の内面に簡易チャック手段を備えたもの）を効率良く製造することができる優れた方法である。
【００２３】
尚、開口部の内面に簡易チャック手段がない三方シールタイプの袋体を得る場合は、上記のチャックテープ溶着工程を省略すればよいことは言うまでもない。
【図面の簡単な説明】
【００２４】
【図１】本発明の製造方法におけるチャック溶着工程で雄型及び雌型のチャックテープが溶着された上下２枚の原反フィルムを示す斜視図である。
【図２】（ａ）は図１のＡ−Ａ線拡大部分断面図、（ｂ）は図１のＢ−Ｂ線拡大部分断面図である。
【図３】本発明の製造方法におけるトリム工程と原反フィルム溶着工程を説明する斜視図である。
【図４】本発明の製造方法における第一の溶断工程と第二の溶断工程を説明する斜視図である。
【図５】本発明の製造方法によって製造される袋体の一実施形態を示す斜視図である。
【図６】図５のＣ−Ｃ線断面図である。
【符号の説明】
【００２５】
１，２  原反フィルム
３    雄型チャックテープ
３ａ  凸条
４    雌型チャックテープ
４ａ  凹溝
９    山形の溶断部分
１１  袋体
【図１】
2007283686.tif 000003
【図２】
2007283686.tif 000004
【図３】
2007283686.tif 000005
【図４】
2007283686.tif 000006
【図５】
2007283686.tif 000007
【図６】
2007283686.tif 000008